(57)【要約】【課題】コストを削減しつつ、簡単に製造できる内装用壁面パネルを提供する。【解決手段】本発明は、屋内壁面Ｗに沿って取り付けられる内装用壁面パネル１を対象とする。本壁面パネル１は、表材１１と、その表材１１の裏面側に貼り付けられた裏材１２とを備えた２層構造を有し、表材１１は、辺材製の板目材である板目辺材１１ｂが複数積層された積層体１１ｃが、その積層方向を巾方向とする形態に切断された積層挽板材１１ｄによって構成されるとともに、裏材１２は、少なくとも一部に心材を含む板目材である板目心材１２ｂによって構成されている。【選択図】図４Ｂ
2014196599.tif 000002
【特許請求の範囲】
【請求項１】
屋内壁面に沿って取り付けられる内装用壁面パネルであって、
表材と、その表材の裏面側に貼り付けられた裏材とを備えた２層構造を有し、
前記表材は、辺材製の板目材である板目辺材が複数積層された積層体が、その積層方向を巾方向とする形態に切断された積層挽板材によって構成されるとともに、
前記裏材は、少なくとも一部に心材を含む板目材である板目心材によって構成されていることを特徴とする内装用壁面パネル。
【請求項２】
前記表材および前記裏材の含水率が４％〜８％に調整されている請求項１に記載の内装用壁面パネル。
【請求項３】
前記表材において「（初期の巾寸法−全乾燥後の巾寸法）／初期の巾寸法×１００／含水率」で算出れる表材の寸法変化率が０．１〜０．２に調整されるとともに、
前記裏材において「（初期の巾寸法−全乾燥後の巾寸法）／初期の巾寸法×１００／含水率」で算出される裏材の寸法変化率が０．１〜０．２５に調整されている請求項１または２に記載の内装用壁面パネル。
【請求項４】
屋内壁面から離間して配置されている請求項１〜３のいずれか１項に記載の内装用壁面パネル。
【発明の詳細な説明】
【技術分野】
【０００１】
この発明は、例えば一般家屋の屋内壁面に装飾用等として取り付けられる木質パネル等の内装用壁面パネルに関する。
【背景技術】
【０００２】
特許文献１〜３に示すように、一般家屋の室内の壁面に、複数の装飾用木質パネルを並べて施工して組み立てられた意匠性の高いパネル壁が周知である。このパネル壁は、意匠性の他にも、木質パネルをなす木材自体が保有する湿度調整機能（調湿機能）によって、快適な居住空間を得ることができる。
【０００３】
このようなパネル壁を構成する木質パネル等の内装用壁面パネルは、重厚感や高級感を引き立たせるために、板厚が厚く設定されている。例えば特許文献１〜３に開示された木質パネルは、３枚の板材を積層した３層の積層構造を有している。
【先行技術文献】
【特許文献】
【０００４】
【特許文献１】特開２０１０−５３５４７号公報
【特許文献２】特開２０１１−６８６８号公報
【特許文献３】特開２０１１−１０６１３１号公報
【発明の概要】
【発明が解決しようとする課題】
【０００５】
しかしながら、特許文献１〜３に示すような内装用の木質パネルは、コストを抑えつつ、重厚感や高級感を持たせるために、様々な工夫を凝らしており、構造の複雑化を来してしまう。その結果、製造が困難になるとともに、コストも増大してしまうという傾向にあった。
【０００６】
この発明は、上記の課題に鑑みてなされたものであり、コストを削減しつつ、簡単に製造することができる内装用壁面パネルを提供することを目的とする。
【課題を解決するための手段】
【０００７】
上記課題を解決するため、本発明は、以下の手段を備えるものである。
【０００８】
［１］屋内壁面に沿って取り付けられる内装用壁面パネルであって、
表材と、その表材の裏面側に貼り付けられた裏材とを備えた２層構造を有し、
前記表材は、辺材製の板目材である板目辺材が複数積層された積層体が、その積層方向を巾方向とする形態に切断された積層挽板材によって構成されるとともに、
前記裏材は、少なくとも一部に心材を含む板目材である板目心材によって構成されていることを特徴とする内装用壁面パネル。
【０００９】
［２］前記表材および前記裏材の含水率が４％〜８％に調整されている前項１に記載の内装用壁面パネル。
【００１０】
［３］前記表材において「（初期の巾寸法−全乾燥後の巾寸法）／初期の巾寸法×１００／含水率」で算出れる表材の寸法変化率が０．１〜０．２に調整されるとともに、
前記裏材において「（初期の巾寸法−全乾燥後の巾寸法）／初期の巾寸法×１００／含水率」で算出される裏材の寸法変化率が０．１〜０．２５に調整されている前項１または２に記載の内装用壁面パネル。
【００１１】
［４］屋内壁面から離間して配置されている前項１〜３のいずれか１項に記載の内装用壁面パネル。
【００１２】
なお、本発明においては、以下の構成も好適に採用することができる。
【００１３】
［ａ１］屋内壁面に沿って並べて配置される複数の壁面パネルを屋内壁面に固定するためのパネル取付治具であって、
両側縁部が、隣り合う壁面パネルの対向縁部にそれぞれ対応して配置された状態で屋内壁面に固定される治具本体を備え、
前記治具本体の一方の側縁部に前位置支持片が設けられるとともに、残り一方の側縁部に後位置支持片が設けられ、
前記前位置支持片および前記後位置支持片によって、隣り合う壁面パネルの対向縁部を支持可能に構成され、
前記前位置支持片が、前記後位置支持片に対し、壁面からの離間距離が長く設定されて前方に配置されていることを特徴とするパネル取付治具。
【００１４】
［ａ２］前記治具本体の前面に着脱自在にアダプタが取り付けられ、
前記アダプタに前記前位置支持片が形成されるとともに、前記治具本体に前記後位置支持片が形成されている前項ａ１に記載のパネル取付治具。
【００１５】
［ａ３］前記治具本体の両側縁部に前記後位置支持片がそれぞれ形成され、
前記アダプタを前記治具本体に対し、前記前位置支持片を前記治具本体の一側縁部に対応させて取り付ける第１の取付形態と、前記前位置支持片を前記治具本体の他側縁部に対応させて取り付ける第２の取付形態とのいずれの取付形態にも取付可能となっている前項ａ２に記載のパネル取付治具。
【００１６】
［ａ４］１つの前記治具本体に対し２つの前記アダプタが取り付けられ、
前記２つのアダプタが、前記パネル配列方向に対し直交するパネル継ぎ合わせ方向に並んで配置されている前項ａ２またはａ３に記載のパネル取付治具。
【００１７】
［ａ５］前記治具本体の両側縁部にそれぞれ前記後位置支持片が形成され、
前記治具本体が、前記後位置支持片のうち、一方の後位置支持片を含む第１分割体と、他方の後位置支持片を含む第２分割体とに分割可能となっている前項ａ２〜ａ４のいずれか１項に記載のパネル取付治具。
【００１８】
［ａ６］前項ａ１〜ａ５のいずれか１項に記載のパネル取付治具を用いて、屋内壁面に沿って複数の壁面パネルを並べて配置した状態に取り付けるようにした壁面パネルの取付構造であって、
前記壁面パネルが、その一側縁部が前記パネル取付治具の前位置支持片によって支持されるとともに、他側縁部が前記パネル取付治具の後位置支持片によって支持されて、当該壁面パネルがその一側縁部が他側縁部よりも屋内壁面から離間距離が長くなるように屋内壁面に対し傾斜した状態に取り付けられていることを特徴とする壁面パネルの取付構造。
【００１９】
［ａ７］前項ａ１〜ａ５のいずれか１項に記載のパネル取付治具を用いて、屋内壁面に沿って複数の壁面パネルを並べて配置した状態に取り付けるようにした壁面パネルの取付構造であって、
前記複数の壁面パネルのうちいずれかの壁面パネルが、その両側縁部が前記パネル取付治具の前位置支持片によってそれぞれ支持されるとともに、
前記いずれかの壁面パネルに対し隣り合う他の壁面パネルが、その両側縁部が前記パネル取付治具の後位置支持片によってそれぞれ支持されることにより、
前記いずれかの壁面パネルが前記他の壁面パネルに対し前方に浮き上がった状態に取り付けられていることを特徴とする壁面パネルの取付構造。
【００２０】
［ａ８］前項ａ３またはａ５に記載のパネル取付治具を用いて、屋内壁面に沿って複数の壁面パネルを並べて配置した状態に取り付けるようにした壁面パネルの取付構造であって、
全ての壁面パネルの両側縁部が、前記アダプタが取り除かれた前記治具本体の後位置支持片にそれぞれ支持されることにより、
前記複数の壁面パネルが同一平面上に配置された状態に取り付けられていることを特徴とする壁面パネルの取付構造。
【発明の効果】
【００２１】
発明［１］の内装用壁面パネルによれば、表材と、裏材とのたった２層の積層体によって構成されているため、構造が簡素になり、コストを削減できるとともに、簡単に製造することができる。さらに表材として積層挽板材を使用するとともに、裏材として板目心材を使用しているため、両板材の伸縮挙動を近似させることとができ、反りが発生するのを防止することができる。
【００２２】
発明［２］［３］の内装用壁面パネルによれば、反りの発生をより確実に防止することができる。
【００２３】
発明［４］の内装用壁面パネルによれば、パネルの室内雰囲気との接触面積を大きく確保できるため、木材自体を保有する調湿性能を十分に発揮することができる。
【図面の簡単な説明】
【００２４】
【図１】図１はこの発明の実施形態である木質パネルを用いて施工されたパネル壁構造を示す正面図である。
【図２】図２は実施形態のパネル壁構造を示す側面断面図である。
【図３】図３は図２のパネル壁構造におけるパネル取付治具周辺を拡大して示す側面断面図である。
【図４Ａ】図Ａ４は実施形態の木質パネルを示す図であって、図（ａ）は正面図、図（ｂ）は側面図、図（ｃ）は下面図である。
【図４Ｂ】図４Ｂは実施形態の木質パネルを示す断面図である。
【図５Ａ】図５Ａは実施形態に木質パネルの下側縁部を示す側面図である。
【図５Ｂ】図５Ｂは実施形態に木質パネルの上側縁部を示す側面図である。
【図６】図６は実施形態に適用されたパネル取付治具を示す斜視図である。
【図７】図７は実施形態のパネル取付治具を分解して示す斜視図である。
【図８】図８は実施形態のパネル取付治具を示す図であって、図（ａ）は正面図、図（ｂ）は側面断面図である。
【図９】図９は実施形態のパネル取付治具における治具本体を示す図であって、図（ａ）は正面図、図（ｂ）は側面断面図である。
【図１０】図１０は実施形態のパネル取付治具におけるアダプタを示す図であって、図（ａ）は正面図、図（ｂ）は側面断面図である。
【図１１】図１１は実施形態の治具本体を分割した状態で示す正面図である。
【図１２】図１２は実施形態のパネル取付治具をアダプタを上下反転させた状態で示す示す図であって、図（ａ）は正面図、図（ｂ）は側面断面図である。
【図１３】図１３は２つのアダプタを装着したパネル取付治具を示す正面図である。
【図１４】図１４は実施形態のパネル取付治具を用いて施工された第１変形例のパネル壁構造を示す側面断面図である。
【図１５】図１５第１変形例のパネル壁構造におけるパネル取付治具周辺を拡大して示す側面断面図である。
【図１６】図１６は実施形態のパネル取付治具を用いて施工された第２変形例のパネル壁構造を示す側面断面図である。
【図１７】図１７は第２変形例のパネル壁構造におけるパネル取付治具周辺を拡大して示す側面断面図である。
【図１８Ａ】図１８Ａはこの発明の実施例である木質パネルにおける吸湿による巾反りの経時変化を示すグラフである。
【図１８Ｂ】図１８Ｂは実施例の木質パネルにおける放湿による巾反りの経時変化を示すグラフである。
【図１９】図１９はこの発明の木質パネルの材料として用いられる切株を模式的に示す斜視図である。
【図２０】図２０はこの発明の木質パネルの材料として用いられる積層挽板材を説明するための斜視図である。
【発明を実施するための形態】
【００２５】
図１はこの発明の実施形態である木質パネル１を用いて施工されたパネル壁構造を示す正面図、図２および図３はそのパネル壁構造の側面断面図である。これらの図に示すように、本実施形態のパネル壁構造においては、一般住宅における基準壁面としての室内の壁面（屋内壁面）Ｗに、帯板状の木質パネル１が、左右方向（水平方向）に沿って配置された状態で、上下方向に並列に複数並べて施工されている。
【００２６】
本実施形態では、木質パネル１によって内装用壁面パネルが構成されるとともに、施工された多数の木質パネル１によって、壁面Ｗの前面側を覆うパネル壁構造が構成されている。
【００２７】
なお、本実施形態では、室内側から壁面Ｗに近づいていく方向を、後側方向（裏面側方向）とし、その逆方向、つまり壁面Ｗから遠ざかっていく方向を、前側方向（表面側方向）として説明する。
【００２８】
また図１〜図５に示すように、各木質パネル１は、その一側縁部２側が下方側に配置されるとともに、他側縁部３側が上方に配置されるように施工される。従って本実施形態においては、必要に応じて、木質パネル１の「一側縁部２」を「下側縁部２」と称し、「他側縁部３」を「上側縁部３」と称する。
【００２９】
さらに本実施形態において、隣り合う木質パネル１，１の対向縁部２，３は、上下に隣り合う木質パネル１，１のうち、上側の木質パネル１における一側縁部（下側縁部）２と、下側の木質パネル１における他側縁部（上側縁部）３によって構成されるものである。
【００３０】
また本実施形態では、上下方向がパネル配列方向に相当する。さらに後に説明するが、木質パネル１の長さ方向（左右方向）がパネル継ぎ合わせ方向に相当する。
【００３１】
以下、本実施形態についてさらに詳細に説明する。
【００３２】
壁面Ｗは、例えば間柱や胴縁の室内側に、多数の合板が面状に並べて貼り付けられるとともに、その合板上に、多数の石膏ボードが面状に並べて貼り付けられることによって構成されている。
【００３３】
木質パネル１は、所定の長さを有する帯板形状に形成されている。図４Ａおよび図４Ｂに示すように本実施形態において、木質パネル１は、表面側（前面側）に配置される表材１１と、表材１１の裏面側（後面側）に積層される裏材１２とを備えた２層構造を有している。
【００３４】
表材１１は、板目材を用いて作製された柾目風板材（積層挽板材）によって構成されるとともに、裏材１２は、板目材によって構成されている。
【００３５】
図１９に示すように、表材１１を構成する板目材は、木材の樹皮に近い周辺部（外周部）に位置する白太や白材とも称される辺材１１ａによって構成されている。さらに裏材１１を構成する板目材は、内部（内周部）に位置し、かつ辺材１１ａよりも一般的に濃い色を有する赤味や赤肌とも称される心材１２ａを含む板材によって構成されている。なお、発明の理解を容易にするため、図１９の切株における心材１２ａに対応する部分にはハッチングを施し、辺材１１ａに対応する部分にはハッチングを施していない。
【００３６】
図２０に示すように、表材１１は、辺材１１ａからなる板目材（板目辺材）１１ｂを複数枚（実施形態では１５〜１６枚程度）積層した積層板材１１ｃを、その積層方向を巾方向とする形態に厚さ６ｍｍでスライス状に切断された積層挽板材１１ｄによって構成されている。換言すれば、積層板材１１ｃを、その板目辺材１１ｂの巾方向に対し直交する平面でスライス状に切断された積層挽板材１１ｄによって構成されている。この積層挽板材１１ｄとしての柾目風板材の幅方向は、図２０の積層板材１１ｃの積層方向、つまり積層板材１１ｃを構成する板目辺材１１ｂの厚さ方向に対応し、積層挽板材１１ｄの厚さ方向は、積層板材１１ｃを構成する板目辺材１１ｂの幅方向に対応している。言うまでもなく、積層挽板材１１ｄの長さ方向は、積層板材１１ｃを構成する板目辺材１１ｂの長さ方向に対応している。
【００３７】
なお本実施形態において、表材１１は、積層挽板材１１ｄを継ぎ合わせたものではなく、いわゆる一枚ものによって構成されているが、必要に応じて、積層挽板材１１ｄを幅方向や長さ方向に適宜継ぎ合わせた集成材によって構成するようにしても良い。ただし、本実施形態においては、積層挽板材１１ｄは、表材１１として用いられるため、長さ方向に継ぎ合わせると、表面に巾方向に沿って継ぎ合わせ線が表出されるおそれがある。
【００３８】
また図４Ｂおよび図１９に示すように裏材１１は、少なくとも一部に心材１２ａを含む板目材（板目心材）１２ｂによって構成されている。なお本実施形態において、裏材１１は、板目心材１２ｂを、幅方向や長さ方向に適宜継ぎ合わせた集成材によって構成しているが、継ぎ合わせていない一枚ものによって構成するようにしても良い。
【００３９】
ところで、通常の柾目材は、通常の板目材に対し吸放湿による伸縮率が非常に小さいため、通常の柾目材と通常の板目材を貼り合わせた積層板材では、反りの発生が懸念される。
【００４０】
これに対し、本実施形態において、積層挽板材１１ｄからなる表材１１と、板目心材１２ｂからなる裏材１２とは、吸放湿による伸縮率を近付けることができ、表材１１と裏材１２とを貼り合わせた積層板材（木質パネル１）では、反りの発生を有効に防止することができる。
【００４１】
すなわち本実施形態において、表材１１は、既述したように板目辺材１１ｂを積層した積層板材１１ｃをスライス状に裁断した積層挽板材１１ｄによって構成されている。この積層挽板材１１ｄは、図４Ｂ等に示すように、真柾模様とは異なり、細い板目模様が集約された追柾模様となる。つまり、表材１１を構成する積層挽板材１１ｄは、構造的に、柾目材の中でも板目材に近い追柾材の構成となる。従って積層挽板材１１によって構成される表材１１は、通常の柾目材よりも吸放湿による伸縮率が大きく、この表材１１の伸縮挙動は、板目心材１２ｂによって構成される裏材１２の伸縮挙動に近付く傾向にある。
【００４２】
一方、裏材１２は、板目心材１２ｂによって構成されているが通常、心材製の板目材は、板目辺材１１ｂに比べて、吸放湿による伸縮率が小さくなっている。すなわち、板目材は年輪方向の伸縮率が大きいものであり、辺材からなる通常の板目材（板目辺材）では、年輪の曲率半径が大きくて、年輪方向がほぼ幅方向に対応して配置されるため、幅方向に大きく伸縮する。これに対し、板目心材１２ｂは、年輪の曲率半径が小さくて、年輪方向がほぼ厚み方向に対応して配置されるため、板目心材１２ｂ自体の幅方向の伸縮率が小さくなる。従ってこの板目心材１２ｂによって構成される裏材１２は、通常の板目材よりも吸放湿による伸縮率が小さく、この裏材１２の伸縮挙動は、追柾構造の表材１１の伸縮挙動に近付く傾向にある。加えて本実施形態では、裏材１２を構成する板目心材１２ｂは、小径木の心材部分を木取りした心材１２ａによって構成されている。この小径木の板目心材１２ｂは、板目材の中でも、柾目材に近い半板材となる。従ってこの点からも、裏材１２は、伸縮率が小さくなり、裏材１２の伸縮挙動が、追柾構造の表材１１の伸縮挙動により一層近付く傾向にある。
【００４３】
このように表材１１は、半板材に近似した追柾材の構造であり、裏材１２は、追柾材に近似した半板材であり、互いの伸縮挙動が近似し、表裏材１１，１２を貼り合わせた積層板材（木質パネル１）では、反りの発生を有効に防止することができる。
【００４４】
ここで、本実施形態において、小径木とは、直径（末口）が４０ｃｍ以下、好ましくは３０ｃｍ以下の木材を言う。
【００４５】
なお本実施形態において、木質パネル１における表材１１および裏１２の伸縮率が近似している点や、木質パネル１に反りが発生しない点については、後の実施例（実験例）からも明らかとなる。
【００４６】
図５Ａに示すように本実施形態の木質パネル１において、一側縁部（下側縁部）２は、その裏面側が切り欠かれることによって、表面側にカバー片２１が一側方（下方）に突出するように形成されている。カバー片２１の先端面には、パネル長さ方向に連続して延びる凹条部２２が形成されている。
【００４７】
さらに木質パネル１の一側縁部２には、カバー片２１よりも裏面側（壁面側）に、パネル長さ方向に連続して延びる切込溝２３が形成されている。
【００４８】
図５Ｂに示すように、木質パネル１の他側縁部（上側縁部）３は、その裏面側が切り欠かれることによって、表面側カバー片３１が他側方（上方）に突出するように形成されている。カバー片３１の先端面には、パネル長さ方向に連続して延びる突条部３２が形成されている。
【００４９】
さらに木質パネル１の他側縁部３には、カバー片３１よりも裏面側（壁面側）に、パネル長さ方向に連続して延びる切込溝３３が形成されている。
【００５０】
一方、図６〜図１０に示すように、パネル取付治具５は、壁面Ｗに固定される治具本体６と、治具本体６に着脱自在に取り付けられるアダプタ７とを備えている。
【００５１】
なお以下の説明においては、図８（ａ）に向かって上下方向を「上下方向」として説明し、左右方向（横方向）を「左右方向（横方向）」として説明する。さらに図８（ｂ）に向かって左側を「前方（表面側）」、右側を「後方（裏面側）」として説明する。なお、図９の治具本体６、図１０のアダプタ７においても同様である。
【００５２】
治具本体６は、正面視（図９（ａ）参照）において、長方形状を有しており、本実施形態では、長さ方向を横方向（水平方向）に一致させて壁面Ｗに固定するものである。本実施形態においては、治具本体６の両側縁部のうち、一方の側縁部が下側に配置されて下側縁部を構成し、残り一方（他方）の側縁部が上側に配置されて上側縁部を構成することになる。
【００５３】
治具本体６は、例えば硬質合成樹脂の一体成形品によって構成されている。この治具本体６の表面側には、長さ方向に連続して延び、かつ長さ方向の両端部が開放されたアダプタ取付溝６５が形成されている。アダプタ取付溝６５の上下両側壁の前端には、アダプタ取付溝６５の前面側（表面側）開口における上下両側部を閉塞する態様に突出する複数の抜け止め突片６６が形成されている。
【００５４】
さらにアダプタ取付溝６５の上下両側壁のうち下側壁、つまり下側縁部には、下方に向けて突出し、かつ治具本体６の長さ方向（横方向）に連続して延びる下部後位置支持片６２が形成されるとともに、上側壁、つまり上側縁部には、上方に向けて突出し、かつ治具本体６の長さ方向に連続して延びる上部後位置支持片６３が形成されている。各後位置支持片６２，６３は、木質パネル１の両側縁部２，３の切込溝２３，３３に挿入できて、パネル１を支持できるようになっている。
【００５５】
本実施形態において、後述するように、治具本体６を壁面Ｗに固定した状態では、両後位置支持片６２，６３は、壁面Ｗからの離間距離（離間寸法）が共に等しくなるようになっている。
【００５６】
なお本実施形態においては、下部後位置支持片６２および上部後位置支持片６３は、それぞれ支持片部材を構成するものである。
【００５７】
また治具本体６のアダプタ取付溝６５における底壁の上側部には、その底壁を貫通し、かつ長さ方向に所定の間隔おきに配置される３つのビス止め孔６７が形成されている。さらに治具本体６のアダプタ取付溝６５の底壁の下側部には、長さ方向に連続して延び、かつ薄肉状に形成された分割線部６８が形成されている。なお後に詳述するが、治具本体６は、この分割線部６８を境にして折り曲げるような力を加えると、図１１に示すように分割線部６８で分裂して、上部後位置支持片６３およびビス止め孔６７を含む第１分割体６ａと、下部後位置支持片６２を含む第２分割体６ｂとに分割できるようになっている。
【００５８】
本実施形態において、治具本体６は、下部後位置支持片６２および上部後位置支持片６３は、上下対称の形状となっており、上下を反転させて壁面Ｗに固定した状態であっても、両後位置支持片６２，６３を、木質パネル１の両側縁部２，３を支持することが可能となっている。
【００５９】
アダプタ７は、治具本体６と同様に硬質合成樹脂の一体成形品等によって構成されている。アダプタ７は、正面視において（図１０（ａ）参照）、矩形状のスライド板７５を備えている。このスライド板７５は、治具本体６のアダプタ取付溝６５にその両端開放部から挿入することにより、溝方向（横方向）に沿ってスライド自在に収容できるようになっている。さらにこの収容状態においては、治具本体６の抜け止め片６６，６６に係合することにより、前方への抜け出しが防止されるようになっている。
【００６０】
スライド板７５における左右方向（スライド方向）の中央部には、スライド板７５を貫通し、かつ上下に並んで配置される２つのビス止め孔７７が形成されている。
【００６１】
アダプタ７におけるスライド板７５の前面上縁部には、前方に向けて斜め上方に延び、かつ横方向に連続して形成される前方突出片７１が形成されている。この前方突出片７１には、上方に向けて突出し、かつ横方向に連続して延びる前位置支持片７２が形成されている。この前位置支持片７２は、木質パネル１の両側縁部２，３の切込溝２３，３３に挿入できて、パネル１を支持できるようになっている。
【００６２】
図６および図８に示すように、このアダプタ７において、前位置支持片７２が上方側に配置されるようにして、スライド板７５を治具本体６のアダプタ取付溝６５内に収容した際には、アダプタ７の前位置支持片７２が、治具本体６の上側縁部に対応する位置において、治具本体６の上部後位置支持片６３よりも前方（表面側）に配置されるようになっている。従ってこの状態で、後述するように、パネル取付治具５を壁面Ｗに固定した際には、アダプタ７の前位置支持片７２は、治具本体６の上部後位置支持片６３に対し壁面Ｗからの離間距離が長くなり、前方に配置されるようになっている。
【００６３】
また本実施形態においては、アダプタ７をその上下を反転させて治具本体６に取り付けることも可能である。すなわち図１２に示すように、このアダプタ７において、前位置支持片７２が下方側に配置されるようにして、スライド板７５を治具本体６のアダプタ取付溝６５内に収容した際には、アダプタ７の前位置支持片７２が、治具本体６の下側縁部に対応する位置において、治具本体６の下部後位置支持片６２よりも前方（表面側）に配置されるようになっている。この状態で、後述するように、パネル取付治具５を壁面Ｗに固定した際には、アダプタ７の前位置支持片７２は、治具本体６の下部後位置支持片６２に対し壁面Ｗからの離間距離が長くなり、前方に配置されるようになっている。
【００６４】
さらに本実施形態においては、アダプタ７を治具本体６のアダプタ取付溝６５に収容した状態では、アダプタ７をスライド操作することによって、アダプタ７の上側に配置されるビス止め孔７７を、治具本体６の３つのビス止め孔６７のいずれにも対応させることができるようになっている。なお、アダプタ７は、図８に示すようにパネル支持片７２を上側に配置した状態でも、図１２に示すようにパネル支持片７２を下側に配置した状態でも、上下のビス止め孔７７のうち、上側に配置されるビス止め孔７７が、治具本体６のビス止め孔６７に対応するようになっている。
【００６５】
ここで本実施形態においては、図８に示すようにアダプタ７をその前位置支持片７２を上方に向けて治具本体５に取り付ける取付形態と、図１２に示すようにアダプタ７をその前位置支持片７２を下方に向けて治具本体５に取り付ける取付形態とのいずれか一方の取付形態が、第１の取付形態として構成されるとともに、残り一方の取付形態が、第２の取付形態として構成されるものである。
【００６６】
本実施形態では、上記構成のパネル取付治具５を用いて、木質パネル１をその長さ方向を横方向にして、上下方向に複数並べるように壁面Ｗに施工するものである。
【００６７】
この場合、例えば図２および図３に示すように、各木質パネル１を斜め上向きに配置されるように下見貼りで施工したパネル壁構造、図１４および図１５に示すように各木質パネル１が同一平面上に配置されるようにフラット貼りで施工したパネル壁構造、図１６および図１７に示すようにいずれかの木質パネル１を前方に張り出すように凹凸貼りで施工したパネル壁構造等、多くの種類のパネル壁構造を構築することができる。
【００６８】
まず図２に示すように下見貼り施工について説明する。なお言うまでもなく、本発明において施工手順は以下の実施形態のものに限定されるものではなく、どのような手順で施工しても良い。
【００６９】
例えば下側から順に下見貼り施工を行う場合には、壁面Ｗにおけるパネル貼付予定領域の下端縁に対応する位置に、上記パネル取付治具５を横方向に所定間隔おきに複数取り付ける。
【００７０】
この場合図８に示すように、各パネル取付治具５において、治具本体６のアダプタ取付溝６５に、アダプタ７をその前位置支持片７２が上側に配置されるようにして収容する。さらにアダプタ７を治具本体６に対し横方向の中間位置に配置させて、アダプタ７の上側のビス止め孔７７を治具本体６の中央のビス止め孔６７に対応させて配置する。その状態で、両ビス止め孔７７，６７にビス８を挿入して壁面Ｗにねじ込んで、パネル取付治具５を壁面Ｗに固定する。
【００７１】
こうして壁面Ｗにおけるパネル貼付予定領域の下端縁に沿って、複数のパネル取付治具５を所定間隔おきに固定する。
【００７２】
次に、最下端に配置される木質パネル１の下側縁部２における切込溝２３内に、上記各パネル取付治具５におけるアダプタ７の前位置支持片７２を挿入することによって、木質パネル１を各パネル取付治具５に支持させる。
【００７３】
続いて、最下端の木質パネル１の上側縁部３をパネル取付治具５によって支持する。すなわち、上記同様に、治具本体６のアダプタ取付溝６５にアダプタ７をそのパネル支持片７２が上側に配置されるようにして収容したパネル取付治具５を、その治具本体６における下部後位置支持片６２を、最下端の木質パネル１の上側縁部３における切込溝３３内に挿入した状態に配置する。その状態で、パネル取付治具５のビス止め孔７７，６７にビス８を挿入して壁面Ｗにねじ込む。
【００７４】
こうして最下端の木質パネル１の上側縁部３を、複数のパネル取付治具５を介して壁面Ｗに固定する。
【００７５】
この取付状態においては、木質パネル１の下側縁部２は、パネル取付治具５におけるアダプタ７の前位置支持片７２に支持されるとともに、上側縁部３は、治具本体６の下部後位置支持片６２に支持されている。既述したようにアダプタ７の前位置支持片７２は、治具本体６の後位置支持片６２，６３よりも前方に配置され、壁面Ｗからの離間距離が長くなっている。従って、木質パネル１は、下側縁部２が上側縁部３よりも壁面Ｗから大きく離間するように、斜め上向き（下見貼り）の形態に配置される。
【００７６】
次に、最下端の木質パネル１の上側縁部３を支持しているパネル取付治具５におけるアダプタ７の前位置支持片７２を、下から２番目に配置する木質パネル１の下側縁部２における切込溝２３内に挿入することにより、２番目の木質パネル１の下側縁部２をパネル取付治具５を介して壁面Ｗに固定する。なおこの取付状態においては、パネル取付治具５の下部後位置支持片６２は、使用しないものである。
【００７７】
さらに２番目の木質パネル１の上側縁部３を、上記の最下端の木質パネル１と同様に、パネル取付治具５を介して壁面Ｗに固定する。
【００７８】
以下同様にして、下から順に木質パネル１をパネル取付治具５を介して壁面Ｗに固定していき、パネル貼付予定領域の全域に、所要枚数の木質パネル１を貼り付ける。これにより、壁面Ｗ上に複数の木質パネル１が貼り付けられたパネル壁構造が構築される。
【００７９】
なお、最上端の木質パネル１の上側縁部３を固定するための最上端固定手段は、パネル取付治具５の一部のみによって構成しても良い。
【００８０】
すなわち最上端固定手段としては、図１１に示すように治具本体６を、分割線部６８で折り曲げて第１および第２分割体６ａ，６ｂに分割し、その２つの分割体６ａ，６ｂのうち、ビス止め孔６７を有する第１分割体６ａを使用するものである。なお最上端固定手段としては、第２分割体６ｂや、アダプタ７は使用しない。
【００８１】
この第１分割体６ａを図１１に示す状態に対し上下を反転させて、つまり同図の状態では上側に配置されている後位置支持片６３を下向きに配置しておき、その下向きの他方側パネル支持片６３を、最上端の木質パネル１の上側縁部３の切込溝３３に挿入する。さらにその状態で、第１分割体６ａをそのビス止め孔６７にビス８を挿通して壁面Ｗにねじ込むことにより、最上端の木質パネル１の上側縁部３を第１分割体６ａを介して壁面Ｗに固定する。
【００８２】
このように最上端の木質パネル１の上側縁部３を、パネル取付治具５で固定する際に、そのパネル取付治具５のうち不要な部位、つまりアダプタ７および第２分割体６ｂを除去することによって、当該不要な部位がパネル壁の上端縁から突出するのを防止することができる。このため、不要な部位が目視されることによる美観の低下を防止でき、良好な美観を得ることができる。
【００８３】
また本実施形態においては、最下端の木質パネル１の下側縁部３を壁面Ｗに固定する場合、治具本体６のうち、第２分割体６ｂを用いずに、第１分割体６ａとアダプタ７とを用いて固定するようにしても良い。この場合においても、上記と同様に、不要な部位である第２分割体６ｂを除去することにより、その不要な部位が目視されることがなく、良好な美観を得ることができる。
【００８４】
また本実施形態において、複数の木質パネル１を横方向（パネル長さ方向）に継ぎ合わせて取り付ける場合には、その横方向であるパネル継ぎ合わせ方向に隣り合う木質パネル１，１の互いの対向端部を、実質的に１つのパネル取付治具５によって壁面Ｗに固定することができる。
【００８５】
すなわち図１３に示すように、横方向に隣り合う木質パネル１，１における対向端部１ａ，１ａの下側縁部２，２を支持する場合には、１つの治具本体６に対し２つのアダプタ７，７を収容しておく。このとき、アダプタ７，７の各ビス止め孔７７，７７を治具本体６の両側のビス止め孔６７，６７にそれぞれ対応させておく。そして隣り合う木質パネル１，１のうち一方の木質パネル１の対向端部１ａの下側縁部２を、２つのアダプタ７，７のうち一方のアダプタ７の前位置支持片７２によって支持させるとともに、他方の木質パネル１の対向端部１ａの下側縁部２を、他方のアダプタ７の前位置支持片７２によって支持させるようにして、両アダプタ７，７のビス孔７７，７７および治具本体６の両側のビス止め孔６７，６７にビス８，８を挿通して壁面Ｗにねじ込んで固定する。
【００８６】
なお、横方向に隣り合う木質パネル１，１における対向端部１ａ，１ａの上側縁部３，３を支持する場合には、一方の対向端部１ａの上側縁部３を、パネル取付治具５の治具本体６における下部後位置支持片６２の一方側半分によって支持させるともに、他方の対向端部１ａの上側縁部３を、下部後位置支持片６２の他方側半分によって支持させるようにする。
【００８７】
このように横方向に継ぎ合わせて木質パネル１を取り付ける場合、隣り合う木質パネル１，１の対向端部１ａ，１ａを、実質的に１つのパネル取付治具５によって壁面Ｗに固定することができる。
【００８８】
上記図２に示すパネル壁構造では、各木質パネル１を斜め上向きに配置した下見貼りの形態に施工しているが、本実施形態においては、各木質パネル１を斜め下向きに配置した形態（下見貼りに対し逆の形態）に施工することもできる。
【００８９】
この場合には、パネル取付治具５を図１２に示す形態とする。すなわちパネル取付治具５における治具本体６のアダプタ取付溝６５に、アダプタ７をその前位置支持片７２が下側に配置されるようにして収容しておく。そして上下に隣り合う木質パネル１，１のうち上側に配置される木質パネル１の下側縁部２を、パネル取付治具５における治具本体６の上部後位置支持片６３によって支持させるとともに、下側に配置される木質パネル１の上側縁部３を、パネル取付治具５におけるアダプタ７の前位置支持片７２によって支持させる。これにより、各木質パネル１を斜め下向きに配置したパネル壁を構築することができる。なおこの形態においては、治具本体６の下部後支持片６２は使用しないものである。
【００９０】
またこの形態において、各パネル取付治具５は、図１２に示す形態としているが、それだけに限られず、図８に示す形態のパネル取付治具５全体を、上下に反転させて壁面Ｗに固定することにより、上記と同様な形態（下見貼りとは逆の形態）に施工することができる。
【００９１】
さらにパネルを斜め下向き（下見貼りとは逆の形態）に施工する場合でも、最下端や最上端に配置されるパネル取付治具５は、必要に応じて、分割体６ｂやアダプタ７等を取り除いて固定するようにしても良い。
【００９２】
一方、本実施形態においては、各木質パネル１を壁面Ｗと平行にしてフラット貼りの形態に施工することもできる。
【００９３】
この場合には図１４および図１５に示すように、パネル取付治具５として、アダプタ７を使用せず、治具本体６のみを使用する。すなわち上下に隣り合う木質パネル１，１のうち上側に配置される木質パネル１の下側縁部２を、治具本体６の上部後位置支持片６３によって支持させるとともに、下側に配置される木質パネル１の上側縁部３を、治具本体６の下部後位置支持片６２によって支持させるようにする。これにより、各木質パネル１が同一平面上に配置されたフラットなパネル壁面が形成される。
【００９４】
このように隣り合う木質パネル１，１が壁面Ｗに対し共に平行に配置される場合には、上側の木質パネル１の下側縁部２における凹条部２２内に、下側の木質パネル１の上側縁部３における突条部３２が配置される（図１５参照）。これにより隣り合う木質パネル１，１間に隙間が形成されないようになっている。
【００９５】
なお本実施形態において、フラット貼りの形態であっても、各木質パネル１は、壁面Ｗに対し接触しておらず、少し離間している。
【００９６】
本実施形態においては、施工される複数の木質パネル１のうち、いずれかの木質パネル１を他の木質パネル１に対し、前方に浮き上がらせるような凹凸貼りの形態に施工することもできる。
【００９７】
この場合には図１６および図１７に示すように、前方に浮き上がらせない他の木質パネル１は、上記フラット貼り形態（図１４および図１５参照）と同様に壁面Ｗに固定するものである。また前方に浮き上がらせる木質パネル１の下側縁部２を支持するパネル取付治具５は、治具本体６のアダプタ取付溝６５に、アダプタ７をその前位置支持片７２が上側に配置されるように収容しておく（図８参照）。そしてそのパネル取付治具５における前位置支持片７２によって、木質パネル１の下側縁部２を支持させるようにする。さらに前方に浮き上がらせる木質パネル１の上側縁部３を支持するパネル取付治具５は、治具本体６のアダプタ取付溝６５に、アダプタ７をその前位置支持片７２が下側に配置されるように収容しておく（図１２参照）。そしてそのパネル取付治具５における前位置支持片７２によって、木質パネル１の上側縁部３を支持させるようにする。なお、凹凸貼り形態において、前方に浮き上がった木質パネル１の上側縁部１６を支持するパネル取付治具５を図１２に示す形態としているが、それだけに限られず、図８に示す形態のパネル取付治具５全体を、上下に反転させて壁面Ｗに固定することにより、上記と同様な凹凸貼りの形態に施工することができる。
【００９８】
これにより、所定の木質パネル１の上下両側縁部２，３が、パネル取付治具５，５におけるアダプタ７，７の前位置支持片７２，７２に支持されることにより、当該木質パネル１が、壁面Ｗに対し平行に配置され、かつ治具本体６の後位置支持片６２，６３に支持された他の木質パネル１に対し、前方に浮き上がった状態に配置される。
【００９９】
なお、このように凹凸貼りの形態で施工する場合、１つおき毎に木質パネル１を浮き上がらせたり、２つおき毎に木質パネル１を浮き上がらせたり、３つ以上おきに木質パネル１を浮き上がらせるように、規則的な凹凸形状を形成するようにしても良いし、不規則的に木質パネル１を適宜浮き上がらせるようにしても良い。さらに上下に連続する２つ以上の木質パネル１をまとめて浮き上がらせるようにしても良い。
【０１００】
なお上下に隣り合う木質パネル１，１を共に浮き上がらせる場合には、そのパネル１，１間に配置されるパネル取付治具５としては、例えば１つの治具本体６にアダプタ７を２つ取り付け、一方のアダプタ７をその前位置支持片７２を上方に配置するとともに、他方のアダプタ５をその前位置支持片７２を下方に配置しておく。そして一方のアダプタ７の前位置支持片７２に上側の木質パネル１の下縁部２を支持させるとともに、他方のアダプタ７の前位置支持片７２に下側の木質パネル１の上側縁３を支持させるようにすれば良い。あるいは、木質パネル１，１間に、図８に示す形態のパネル取付治具５と、図１２に示すパネル取付治具５とを交互に配置しておき、図８のパネル取付治具５の前位置支持片７２に上側の木質パネル１の下縁部２を支持させるとともに、図１２のパネル取付治具５の前位置支持片７２に下側の木質パネル１の上側縁３を支持させるようにすれば良い。
【０１０１】
また横方向に木質パネル１を複数継ぎ合わせて施工する場合には、横方向に並ぶいずれかの木質パネル１を浮き上がらせても良いし、横方向に並ぶ全ての木質パネル１を浮き上がらせるようにしても良い。
【０１０２】
以上のように本実施形態のパネル壁構造によれば、下見貼り形態、下見貼りに対し逆の形態、フラット貼り形態、規則的な凹凸貼り形態、不規則的な凹凸貼り形態等の多種多様な形態で、木質パネル１を壁面Ｗに取り付けることができ、室内の状況や居住者の好みに応じた形態で木質パネル１を取り付けることができる。
【０１０３】
また上記実施形態においては、アダプタ７を取り付けずに治具本体６だけを用いれば、フラット貼りで施工することができるため、フラット貼り専用のパネル取付手段（パネル取付治具）を別途準備する必要がなく、部材の兼用による部品点数およびコストの削減を図ることができる。
【０１０４】
また本実施形態に採用された木質パネル１は、表材１１と、裏材１２との２層構造の積層体によって構成されているため、従来より木質パネル用に一般に用いられる３層の積層体に比べて、構造が簡素になり、コストを削減できるとともに、簡単に製造することができる。
【０１０５】
さらに本実施形態の木質パネル１を構成する表材１１および裏材１２は、通常の柾目材に比べて入手が容易で安価な板目材１１ｂ，１２ｂを材料としているため、一層コストの削減を図ることができる。
【０１０６】
その上さらに、裏材１２は、高級用木材として利用度が低い心材１２ａからなる板目材１２ｂを使用しているため、資源の有効利用を図ることができるとともに、より一層コストを削減することができる。
【０１０７】
しかも本実施形態の木質パネル１の表材１１は、板目辺材１１ｂを積層してスライス状に切断した積層挽板１１ｄによって構成しているため、良好な色合いの柾目模様を表出することができ、高級感のある重厚なパネル壁を構築することができる。
【０１０８】
また本実施形態の木質パネル１は、２層構造の積層体であるにもかかわらず、反りの発生を有効に防止することができる。
【０１０９】
すなわち、２層構造の積層体は、表裏間での張力バランスが異なるため、反りが発生し易くなる。
【０１１０】
そこで、本実施形態の木質パネル１は、既述したように表材１１および裏材１２における吸放湿時の伸縮挙動を近似させるようにしているため、反りが発生するのを防止でき、良好な美観を長期間維持することができる。
【０１１１】
また本実施形態において、木質パネル１を壁面Ｗから離間させた状態で取り付けた場合には、裏材１２の裏面側も室内空気と接触するため、木質パネル１の室内空気との接触面積が大きくなる。このため、木質パネル１を構成する木材自体を保有する調湿性能を十分に発揮することができ、快適な居住空間を得ることができる。
【０１１２】
なお、木質パネル１を壁面Ｗから離間させた状態で取り付けた場合、裏材１２も吸放湿の影響を受け易くなる。このような場合、表材１１と裏材１２との伸縮挙動が異なっていると、より一層反りが発生し易くなるが、本実施形態の木質パネル１では、既述したように表材１１と裏材１２との伸縮挙動が近似しているため、壁面Ｗから離間させたとしても、反りの発生を有効に防止することができる。
【０１１３】
また本実施形態において、木質パネル１を構成する表材１１および裏材１２は予め、高温乾燥等を行うことによって、含水率を４％〜８％に調整しておくのが好ましい。すなわち含水率をこの範囲に調整しておくことによって、木質パネル１における反りの発生をより確実に防止することができる。この点については、後の実施例からも明らかとなる。
【０１１４】
ここで本実施形態においては、重厚感および高級感を十分に引き出すために、木質パネル１の全体厚みを９ｍｍ〜３０ｍｍ、より好ましくは１３ｍｍ〜２３ｍｍに設定するのが良い。さらに表材１１に彫り込みによって重厚感および高級感のある模様を形成するために、表材１１の厚みを３ｍｍ〜１０ｍｍ、より好ましくは５ｍｍ〜８ｍｍに設定するのが良い。さらに表材１１とのバランス等を考慮すると、裏材１２の厚みを６ｍｍ〜２０ｍｍ、より好ましくは８ｍｍ〜１５ｍｍに設定するのが良い。
【０１１５】
なお、上記実施形態においては、木質パネル１をその長さ方向を横方向（水平方向）に一致させて、上下方向に並べて施工する場合を例に挙げて説明したが、それだけに限られず、本発明においては、木質パネル１をその長さ方向を縦方向（垂直方向）に一致させて、左右方向（水平方向）に並べて施工するようにしても良い。さらに木質パネル１をその長さ方向を垂直方向または水平方向に対し傾斜する方向に一致させるように施工するようにしても良い。
【０１１６】
また上記実施形態においては、木質パネル１として、帯板形状ないし長板形状のものを使用しているが、それだけに限られず、本発明においては、正方形状の木質パネルを用いることも可能である。
【０１１７】
また上記実施形態においては、治具本体６やアダプタ７等のパネル取付治具５を硬質合成樹脂の一体成形品によって構成しているが、本発明においてこれらの部材の素材は、特に限定されるものではなく、金属の加工品等によって構成するようにしても良い。
【実施例】
【０１１８】
次に本発明の内装用壁面パネル（木質パネル）１の表材１１および裏材２に関連した実施例について説明する。
【０１１９】
＜寸法変化率に関する実施例＞
【０１２０】
【表１】
2014196599.tif 000003
【０１２１】
表１に示すように、木質パネル１の表材１１として利用可能な積層挽板材１１ｄを準備した。すなわち図２０に示すように上記実施形態と同様に、板目辺材１１ｂを積層した積層板材１１ｃを、その積層方向が巾方向となる形態で所定の間隔おきにスライス状に切断してサンプルNo.Ａ１〜Ａ２０の計２０枚の柾目風板材（積層挽板材）１１ｄを準備した。例えばサンプルNo.Ａ１の積層挽板材１１ｄは、初期重量が６３．３８ｇ、初期サイズが長さ１００．６４ｍｍ×幅１５３．１７ｍｍ×厚み１０．４０ｍｍであり、全乾燥後重量は５３．４５ｇ、全乾燥後サイズが長さ９９．８６ｍｍ×幅１４９．４８ｍｍ×厚み９．８７ｍｍであった。この積層挽板材１４ｄの含水率＝「（初期重量−全乾燥後重量）／全乾燥後重量×１００」は１８．６％となる。さらに長さの寸法変化率（含水率１％当たり、以下同じ）＝「（初期長さ−全乾燥後長さ）／初期長さ×１００／含水率」は、０．０４［％／％］、巾の寸法変化率＝「（初期巾−全乾燥後巾）／初期巾×１００／含水率」は、０．１３［％／％］、厚みの寸法変化率＝「（初期厚み−全乾燥後厚み）／初期厚み×１００／含水率」は、０．２７［％／％］となる。
【０１２２】
またサンプルNo.Ａ２〜Ａ２０の表材用積層挽板材１１ｄにおける各重量、各サイズ、各含水率および各寸法変化率は、表１に示す通りである。
【０１２３】
【表２】
2014196599.tif 000004
【０１２４】
表２に示すように、木質パネル１の裏材１２として利用可能な巾集成板材を準備した。すなわち上記実施形態と同様に、板目心材１２ｂを、巾方向に適宜継ぎ合わせてサンプルNo.Ｂ１〜Ｂ２０の計２０枚の巾集成板材を準備した。例えばサンプルNo.Ｂ１の巾集成板材は、初期重量が５９．１３ｇ、初期サイズが長さ９９．８５ｍｍ×幅１５７．５８ｍｍ×厚み９．４０ｍｍであり、全乾燥後重量は５１．０８ｇ、全乾燥後サイズが長さ９９．６３ｍｍ×幅１５２．９１ｍｍ×厚み９．２３ｍｍであった。この巾集成材（板目心材１２ｂ）の含水率＝「（初期重量−全乾燥後重量）／全乾燥後重量×１００」は１５．８％となる。さらに長さの寸法変化率＝「（初期長さ−全乾燥後長さ）／初期長さ×１００／含水率」は、０．０１［％／％］、巾の寸法変化率＝「（初期巾−全乾燥後巾）／初期巾×１００／含水率」は、０．１９［％／％］、厚みの寸法変化率＝「（初期厚み−全乾燥後厚み）／初期厚み×１００／含水率」は、０．１１［％／％］となる。
【０１２５】
またサンプルNo.Ｂ２〜Ｂ２０の裏材用巾集成板材における各重量、各サイズ、各含水率および各寸法変化率は、表２に示す通りである。
【０１２６】
表１および表２から明らかなように、表材用の積層挽板材１１ｄと、裏材用の巾集成板材（板目心材１２ｂ）とは寸法変化率が大きく異なるものではなく、こられらの板材１１ｄ、１２ｂを貼り合わせた積層板材である本発明の木質パネルにおいては、吸放湿時の伸縮挙動が近似し、反りの発生を有効に防止することができると考えられる。特に表材用の積層挽板材１１ｄと、裏材用の巾集成板材との巾方向における寸法変化率は、互いに近似しており、これらの積層板材によって構成される本発明の木質パネルは、巾方向の反りを、より確実に防止できると考えられる。
【０１２７】
参考までに、本発明の木質パネルに関連した板材と、一般の木質パネル用に使用される板材とを比較すると以下の通りとなる。
【０１２８】
【表３】
2014196599.tif 000005
【０１２９】
表３において、実施例１は、上記サンプルＡ１〜Ａ２０に示す表材用の積層挽板材１１ｄであり、巾方向の寸法変化率は、平均が０．１４、最大が０．１７、最小が０．１１である。また実施例２は、上記サンプルＢ１〜Ｂ２０に示す裏材用の巾集成板材（板目心材１２ｂ）であり、巾方向の寸法変化率は、平均が０．１４、最大が０．２０、最小が０．１３である。このように実施例１，２の板材１１ｄ，１２ｂの寸法変化率は非常に近似しているため、実施例１，２の板材１１ｄ，１２ｂを貼り合わせた積層板材（木質パネル）においては、反りの発生を有効に防止できると考えられる。  
【０１３０】
一方表３において、参考例１は、一般的な木質パネルの表材として使用可能な杉製の柾目材であり、巾方向の寸法変化率は、最大が０．２１、最小が０．０５である。また参考例２は、一般的な木質パネルの裏材として使用可能な杉製の板目材であり、巾方向の寸法変化率は、最大が０．３４、最小が０．２１であった。このように参考例１，２の両板材における寸法変化率は大きく異なっており、参考例１，２の板材を貼り合わせた積層板材（木質パネル）においては、有害な反りが発生する可能性が高いと考えられる。
【０１３１】
なお、これらの実施例や他の実験例等も含めた結果、本発明の木質パネルにおいては、表材１１における巾方向の寸法変化率［％／％］を０．１〜０．２、好ましくは０．１１〜０．１７に調整した場合、さらに裏材１２における巾方向の寸法変化率［％／％］を０．１〜０．２５、好ましくは０．１３〜０．２０に調整した場合には、反りの発生を、より効果的に抑制できると考えられる。
【０１３２】
＜反りと含水率との関係についての実施例＞
図１８Ａは本発明に関連した実施例の木質パネル１における吸湿による巾反りの経時変化を示すグラフ、図１８Ｂは実施例の木質パネル１の放湿による巾反りの経時変化を示すグラフである。これらのグラフに示すように、実施例１１として、含水率が５％の表材（積層挽板材）１１と、含水率が１０％の裏材（巾集成材）１２とが貼り合わされた２層構造の木質パネル１、実施例１２として、含水率が５％の表材（積層挽板材）１１と、含水率が５％の裏材（巾集成材）１２とが貼り合わされた２層構造の木質パネル１、実施例１３として、含水率が１０％の表材（積層挽板材）１１と、含水率が１０％の裏材（巾集成材）１２とが貼り合わされた２層構造の木質パネル１、実施例１４として、含水率が１０％の表材（積層挽板材）１１と、含水率が５％の裏材（巾集成材）１２とが貼り合わされた２層構造の木質パネル１を準備した。
【０１３３】
そして図１８Ａに示すように、実施例１１〜１４の木質パネル１を、吸湿（湿潤）環境下において１１日間放置し、各木質パネル１の巾反りを測定した。
【０１３４】
さらに図１８Ｂに示すように、実施例１１〜１４の木質パネル１を、放湿（乾燥）環境下において１１日間放置し、各木質パネル１の巾反りを測定した。
【０１３５】
これらのグラフから明らかなように、表材１１および裏材１２の含水率が低い低含水率の実施例１２の木質パネル１においては、含水率が高い他の実施例１１，１３，１４の木質パネル１に比べて、巾反りの発生が抑制されていた。
【０１３６】
これらの実施例や他の実験例等も含めた結果、本発明の木質パネルにおいては、表材１１および裏材１２を高温乾燥によって、含水率を６％±２％の低含水率に調整した場合には、反りの発生を、より効果的に抑制できると思われる。
【産業上の利用可能性】
【０１３７】
この発明の内装用壁面パネルは、屋内壁面にパネル壁を構築する際に用いることができる。
【符号の説明】
【０１３８】
１：木質パネル（内装用壁面パネル）
１１：表材
１１ａ：辺材
１１ｂ：板目辺材
１１ｃ：積層板材
１１ｄ：積層挽板材
１２：裏材
１２ａ：心材
１２ｂ：板目心材
Ｗ：壁面（屋内壁面）
【図１】
2014196599.tif 000006
【図２】
2014196599.tif 000007
【図３】
2014196599.tif 000008
【図４Ａ】
2014196599.tif 000009
【図４Ｂ】
2014196599.tif 000010
【図５Ａ】
2014196599.tif 000011
【図５Ｂ】
2014196599.tif 000012
【図６】
2014196599.tif 000013
【図７】
2014196599.tif 000014
【図８】
2014196599.tif 000015
【図９】
2014196599.tif 000016
【図１０】
2014196599.tif 000017
【図１１】
2014196599.tif 000018
【図１２】
2014196599.tif 000019
【図１３】
2014196599.tif 000020
【図１４】
2014196599.tif 000021
【図１５】
2014196599.tif 000022
【図１６】
2014196599.tif 000023
【図１７】
2014196599.tif 000024
【図１８Ａ】
2014196599.tif 000025
【図１８Ｂ】
2014196599.tif 000026
【図１９】
2014196599.tif 000027
【図２０】
2014196599.tif 000028